(57)【特許請求の範囲】
【請求項１】
少なくとも２つの壁（４、１３）を有する開閉式のクロージャー（８）を含み、前記少なくとも２つの壁（４、１３）は前記クロージャー（８）が開閉される際に互いの面で摺動する、タバコ製品又はタバコ関連商品又は喫煙具のためのパッケージにおいて、
少なくとも一方の壁（４）は、磁気要素（２１）の列を含んでおり、前記磁気要素（２１）の列は、前記２つの壁（４、１３）が互いの面で摺動する際の前記２つの壁（４、１３）の相対運動の方向に、陽極と陰極とを交互に有するように整列されており、前記列が、細長い磁気要素（２１、２２）から成り、前記磁気要素が、前記２つの壁（４、１３）の相対運動の方向に対して横方向に延在すること、及び、他方の壁（１３）は、磁極を有する少なくとも１つの磁気要素（２２）を含んでおり、前記磁気要素（２２）は、前記２つの壁（４、１３）が互いの面で摺動する際、前記一方の壁（４）の前記磁気要素（２１）に沿って摺動すること、を特徴とするパッケージ。
【請求項２】
前記磁気要素（２１、２２）は、両方の壁（４、１３）が、互いに対して異なる位置で固定され得るように配置されている請求項１に記載のパッケージ。
【請求項３】
前記磁気要素（２１、２２）は、前記２つの壁（４、１３）が互いに沿って摺動する際に、利用者が感知できるラッチング又はその他の音が生成されるように配置されている請求項１又は２に記載のパッケージ。
【請求項４】
両方の壁（４、１３）が、前記磁気要素（２１）の列を有しており、前記磁気要素（２１）の列は、前記２つの壁（４、１３）が開かれる際の前記２つの壁（４、１３）の相対運動の方向に、陽極と陰極とを交互に有するように整列されている請求項１から３のいずれか一項に記載のパッケージ。
【請求項５】
各列は細長い磁気要素（２１、２２）から成り、前記磁気要素は、前記２つの壁（４、１３）の相対運動方向に対して横方向に延在する請求項４に記載のパッケージ。
【請求項６】
前記一方の壁（４）が、前記他方の壁（１３）の側面に磁気要素（２１）の列を含んでおり、前記他方の壁が、前記一方の壁（４）の側面に少なくとも１つの磁気要素（２２）を含んでいる請求項１から５のいずれか一項に記載のパッケージ。
【請求項７】
前記磁気要素が、対向する前記一方の壁及び前記他方の壁（４、１３）の側面に配置されている請求項１から６のいずれか一項に記載のパッケージ。
【請求項８】
隣接し合う磁気要素（２１、２２）が、各列において、互いに対して一定の間隔を有している請求項１から７のいずれか一項に記載のパッケージ。
【請求項９】
互いの面で摺動する壁（４、１３）のコーティング（１９、２０）が、前記磁気要素（２１、２２）を含んでいる請求項１から８のいずれか一項に記載のパッケージ。
【請求項１０】
前記コーティング（１９、２０）が、パッケージの壁（４、１３）への接着剤を有している請求項９に記載のパッケージ。
【請求項１１】
個別の磁気要素（２１、２２）が、互いの面で摺動する壁に接合されている請求項１から１０のいずれか一項に記載のパッケージ。
【請求項１２】
パッケージが、外側部分（２）から引き出す、又は、振り出すことが可能な内側部分（１１）を有する箱であり、前記磁気要素（２１、２２）が、前記外側部分（２）の一方の壁（４）と前記内側部分（１１）の一方の壁（１３）とに配置されており、前記磁気要素（２１、２２）は、前記内側部分（１１）が前記外側部分（２）から出される際に、互いに沿って摺動する請求項１から１１のいずれか一項に記載のパッケージ。
【請求項１３】
パッケージが折り畳み式の箱である請求項１から１２のいずれか一項に記載のパッケージ。
【請求項１４】
パッケージが、ボール紙製又は段ボール紙製又はプラスチック製又は金属製である請求項１から１３のいずれか一項に記載のパッケージ。
【発明の詳細な説明】
【技術分野】
【０００１】
本発明は、有煙タバコ製品若しくは無煙タバコ製品、特に葉タバコ、シガレット若しくはスヌースのためのパッケージ、又は、有煙タバコ若しくは無煙タバコに関連する商品、特にシガレットペーパー、フィルター、チューブ若しくはシガレット用のフィルターチューブのためのパッケージ、又は、電子喫煙具若しくは非電子喫煙具、特に電子タバコ若しくはエアロゾル生成装置のためのパッケージに関する。
【背景技術】
【０００２】
タバコ製品又はタバコ関連商品又は喫煙具を、特に袋、折り畳み式の箱及び缶の中に包装することが知られている。従来のパッケージは、枢動する、若しくは、取り外し可能なキャップの形状を有するクロージャー、引き出す、若しくは、振り出すことが可能な内側部分、又は、取り外し可能な缶蓋を有している。当該クロージャーは、クランプ又は感圧接着剤によって、閉鎖位置で保たれる。開放状態においては、クロージャーは、特定の位置には固定されていないので、開口部の横断面は可変であるか、又は、取り外し可能なクロージャーを紛失する可能性がある。
【０００３】
特許文献１は、タバコ関連商品のパッケージを記載している。当該パッケージは、底壁と、当該底壁から延在する側壁とを有する箱を含んでいる。外側の箱は、少なくとも部分的に多角形及び／又は円形の直径を有しており、内側空間を包囲し、底壁又は側壁の１つの前に開口部を有している。永久磁石が、取り外し不可能に、内部空間に固定されている。当該パッケージは、例えば冷蔵庫の扉、金属製の戸枠、ソケット又はテーブル等の、異なる物体に磁気的に固定され得るので、当該パッケージは容易に再び見つけられ、好ましい場所に保管され得る。
【０００４】
特許文献２は、複数の細長い消耗品及びチューインガムを収納及び分配するためのパッケージアセンブリを記載している。製品のための第１の収納区画と第２の収納区画とは、ヒンジを介して接続されている。各収納区画は、当該ヒンジに隣接する開放端を有しており、製品の収納区画は、ヒンジの周囲に折り畳み可能であり、本の様に開閉される。加えて、当該パッケージアセンブリは、基本的に、細長い平面の磁気ストリップを含んでおり、当該磁気ストリップは、担体内に整列した、細長い磁化可能な粒子を含んでいる。当該粒子は磁化され、ストリップの反対面における正電荷及び負電荷を決定する。正電荷と負電荷とは、平面ストリップの反対面に沿った、間隙を介する交互のカラムに配置される。そのようなストリップの１つは、各収納区画上に配置されるので、区画を折り畳んで閉じると、収納区画が共に折り畳まれる場合に、平面ストリップの１つの表面の正電荷を有するカラムは、もう一方の平面ストリップのもう一方の表面の負電荷を有するカラムと並列になり、平面ストリップは、磁力で互いに対して位置合わせされる。パッケージは、磁気ストリップによって、所定の閉鎖位置に保たれる。
【先行技術文献】
【特許文献】
【０００５】
【特許文献１】国際公開第２０１２／１１９６１１号パンフレット
【特許文献２】国際公開第２０１２／０５８４１３号パンフレット
【発明の概要】
【発明が解決しようとする課題】
【０００６】
本発明は、より好ましい使用特性を有する、タバコ製品又はタバコ関連商品のためのパッケージを供給するという目的に基づいている。
【課題を解決するための手段】
【０００７】
本目的は、請求項１の特徴を有するパッケージによって達成される。本発明の有利な態様は、サブクレームに示される。
【０００８】
本発明に係るタバコ製品又はタバコ関連商品又は喫煙具のためのパッケージは、開閉式のクロージャーを含んでおり、当該クロージャーは、クロージャーが開閉されている際に、互いの面で摺動する少なくとも２つの壁を有しており、当該パッケージは、少なくとも一方の壁が磁気要素の列を含んでおり、当該磁気要素は、２つの壁が互いの面で摺動する際の、２つの壁の相対運動の方向に延在しており、交互に陽極と陰極とを有していること、及び、他方の壁が、磁極を有する少なくとも１つの磁気要素を含んでおり、当該磁気要素は、２つの壁が互いの面で摺動する際に、前記一方の壁の磁気要素に沿って摺動することを特徴としている。
【０００９】
本発明のパッケージにおいて、クロージャーが開閉される際、一方の壁の磁気要素と他方の壁の磁気要素との間で、磁力が有効である。従って、利用者は、クロージャーを開放又は閉鎖する際に、磁力を克服しなければならない。磁力によって、利用者は、クロージャーの開閉をより良好に制御することができる。これによって、クロージャーは、意図しない開閉から、より良好に守られている。
【００１０】
一態様によると、磁気要素は、開閉式のクロージャーが、磁気要素によって異なる位置に固定され得るように配置されている。好ましくは、パッケージから物品を取り出すために、クロージャーを、閉鎖位置、及び、１つ又はいくつかの開放位置に固定することが可能である。これによって、所望の頻度で開閉され、固定された閉鎖位置及び１つ又はいくつかの固定された開放位置に配置され得る安全なクロージャーが可能になる。閉鎖位置では、クロージャーは、意図しない開放から、より良好に守られている。固定された開放位置では、収納された物品を取り出すことが可能であり、場合によっては、より安全に再度収納することも可能である。有利な態様によると、クロージャーは、物品をパッケージから取り出すことができない少なくとも１つの閉鎖位置と、物品をパッケージから取り出すことができる開放位置とに固定され得る；開放位置において、当該クロージャーは、物品が意図せず落下することを防止する保護機能を有し得る。例えば、特定の位置で払いのけられた（flapped away）キャップは、シガレットがシェルから滑り落ちることを防止するが、意図的に振ることによって１本のシガレットを取り出すことは可能にする。さらなる態様によると、シガレットのパックにおいて、開閉式のクロージャーを開放位置に配置することが可能であり、この開放位置では、クロージャーは一列のシガレットのみを露出させるので、残りの列は覆われている。これによって、覆われた列のシガレットは、利用者の手との接触、意図しない引出、及びパッケージからの落下に対して守られる。加えて、周囲の香り及び湿気との混合が制限される。従って、クロージャーを部分的な開放位置に固定することは、製品の衛生と、取り扱いと、香り及び味の保存との観点から有利である。さらなる態様によると、クロージャーは、異なる寸法の開口部が露出しているいくつかの開放位置に固定され得る。これによって、その時のパッケージの充填状態に応じて、利用者が開口部の寸法に適応することが可能になる。加えて、パッケージから取り外し可能なクロージャーを紛失することが、少なくとも１つの開放位置にクロージャーを固定することによって防止され得る。
【００１１】
好ましい態様によると、磁気要素は、利用者が感知し得るラッチング又はその他の音が、２つの壁が互いに沿って摺動する際に生成されるように配置されている。この音は、陽極と陰極とを交互に有する磁気要素又は磁気要素の列が、陽極と陰極とを有する磁気要素の列に沿って摺動する際に生成される。この音は、磁気要素の距離及び寸法と、磁気要素の磁界強度と、磁気要素が配置される壁の材料及び厚さと、壁に沿った摺動の速度と、に依存する。
【００１２】
磁気要素は、典型的には、クロージャーが開放及び／又は閉鎖される際に、明確に感知可能なラッチングを生成する。この音によって、利用者は、クロージャーの開閉をより良好に制御できる。加えて、このクロージャーが開閉する際の触覚又は触知効果は、パッケージをより魅力的にする。
【００１３】
さらなる態様によると、両方の壁は、磁気要素の列を有しており、当該磁気要素は、陽極と陰極とを交互に備えており、２つの壁が開放される際の、２つの壁の相対運動の方向に延在している。これは、クロージャーを異なる位置に安全に固定し、パッケージの開閉に際して音を生成するためには有利である。
【００１４】
さらなる態様によると、各列は細長い磁気要素から成り、これらの磁気要素は、２つの壁の相対運動の方向に対して横に整列している。これは、クロージャーを異なる位置に固定し、クロージャーを開閉する際に十分に感知可能な音を生成するのに十分な大きさの磁界強度を有する磁気要素にとって有利である。当該磁気要素は、好ましくは互いに対して平行に延在している。
【００１５】
さらなる態様によると、磁気要素は、直線状の、又は、Ｚ字形の、又は、湾曲した、又は、正弦曲線の、又は、異なる湾曲の軌道を有している。磁気要素は、好ましくは、直線状又は任意に湾曲したストリップである。
【００１６】
さらに好ましくは、磁気要素は、２つの壁の相対運動の方向に対して垂直に延在している。
【００１７】
好ましい態様によると、隣接し合う磁気要素は、各列において、互いに対して一定の間隔を有している。一態様によると、当該距離は０．１ｍｍから５ｍｍ、好ましくは０．５ｍｍから２ｍｍ、より好ましくは１ｍｍである。一態様によると、磁気要素の幅は、０．１ｍｍから０．５ｍｍ、好ましくは０．５ｍｍから２ｍｍ、より好ましくは１ｍｍである。一態様によると、磁気要素の長さは、０．５ｍｍから１００ｍｍ、好ましくは１ｍｍから７５ｍｍ、より好ましくは２ｍｍから５０ｍｍ、さらに好ましくは５ｍｍから１０ｍｍである。
【００１８】
さらなる態様によると、隣接し合う磁気要素は、２つの壁の相対運動の方向において、次第に小さくなるか、若しくは、大きくなる寸法（幅及び／若しくは長さ）を有しているか、又は、２つの壁の相対運動の方向に関して、各列において、互いに対して次第に小さくなるか、若しくは、大きくなる間隔を有しており、少なくとも１つの列は、少なくとも３つの磁気要素を含んでいる。特徴的な音の変化によって、利用者はクロージャーの開閉をより良好に制御できる。
【００１９】
さらなる態様によると、一方の壁は、磁気要素の列を、他方の壁の側面に含んでおり、他方の壁は、少なくとも１つの磁気要素を、一方の壁の側面に含んでいる。
【００２０】
さらなる態様によると、磁気要素は、向かい合う一方の壁と他方の壁の側面に配置されている。結果として、特に大きな磁界強度が、一方の壁の磁界要素と他方の壁の磁界要素との間で有効であり、この大きな磁界強度は、クロージャーを異なる位置に固定し、開閉の際に音を生成するために有利である。
【００２１】
好ましい態様によると、磁気要素のＮ極からＳ極への領域は、一方の壁及び他方の壁に対して垂直に配置されている。
【００２２】
一態様によると、磁気要素は、永久磁気要素（永久磁石）である。
【００２３】
さらなる態様によると、一方の壁と他方の壁とは、磁気要素を含む磁気コーティングを有している。好ましい態様によると、コーティングは、磁性粒子を含む担体材料によって形成される。壁への磁気コーティングの塗布は、製造において利点を有する。好ましい態様によると、コーティングは、押出可能な塗布によって形成される。好ましい態様によると、コーティングは、パッケージの壁への接着剤を有している。接着は、好ましくは、担体材料を形成する、又は、担体材料に含有される接着剤によって行われる。さらなる態様によると、コーティングは色を有している。さらなる態様によると、コーティングは磁性粒子を含んでおり、当該磁性粒子は、コーティングが壁に塗布された後、適切な磁化装置を用いて、交互に極性を有する磁気要素の列と位置合わせされ得る。さらなる態様によると、コーティングは押出可能である。さらなる態様によると、コーティングは、５μｍから１００μｍ、好ましくは１０μｍから９０μｍ、より好ましくは３０μｍの層厚を有している。
【００２４】
磁気コーティングの製造に適した材料は、Ａｍｃｏｒ社によって、「マグネットコート６．１」という商品名で商品化されている。
【００２５】
さらなる多くの材料が、互いの面で摺動する２つの壁の磁気コーティングのために利用可能であり、これらの材料は、特許文献２の第４ページ、３１列目から第６ページ、２５列目までに記載されている。この点において、特許文献２が参照され、その主題は、それによって本出願に組み込まれる。
【００２６】
磁気コーティングのために、特に以下の特許公報の内１つに記載された材料を用いることができる：米国特許第３８９７２８８号明細書、米国特許第４４２７４８１号明細書、米国特許第４６９３７７５号明細書、米国特許第４８３５６２４号明細書、米国特許第５７６２２６３号明細書、米国特許第６１２７００２号明細書、米国特許第６７７４１７１号明細書、米国特許第６７９０３７８号明細書、米国特許第７１２８７９８号明細書、米国特許第７３３８５７３号明細書、米国特許第７５０１９２１号明細書。この点において、上に挙げた特許公報が参照され、その主題は、それによって本出願に組み込まれる。
【００２７】
代替的な態様によると、磁気要素は個別の磁石であり、当該磁石は、互いの面で摺動する壁に接合されている。当該態様において、壁には従来の磁石が設けられている。当該磁石は、好ましくは永久磁石である。当該磁石を、壁に接続された担体に貼付しても良い。
【００２８】
本発明は、様々な種類のパッケージで用いることができる。好ましい態様によると、パッケージは、枢動する、又は、取り外し可能なキャップを有する箱であり、磁気要素は、箱の一方の壁と、箱が開かれる際に壁に沿って摺動するキャップの一方の壁とに配置されている。この種の折り畳み式の箱は、特に以下の特許公報に記載されているように形成され得る：米国特許第２９２９５４２号明細書、欧州特許第２３２５０９３号明細書、国際公開第２００７／１４４０４３号、欧州特許第０４５２０６８号明細書、欧州特許第１９２３３３０号明細書、欧州特許第１６２６９１６号明細書、欧州特許第１２１９１１８号明細書、国際公開第２０１１／０６００７９５号、国際公開第２００６／０８９９２６号、欧州特許出願公開第１７９２８４８号明細書、国際公開第２０１１／０７２８０６号、国際公開第２０１０／０６３５６９号、独国特許発明第２５５１４２７号明細書。この点において、上に挙げた特許公報が参照され、その主題は、それによって本出願に組み込まれる。
【００２９】
さらなる態様によると、パッケージは、外側部分から押し出す、又は、引き出す、又は、開いて取り出すことができる内側部分を有する箱であり、磁気要素は、外側部分の一方の壁と、内側部分の一方の壁とに配置されており、当該磁気要素は、内側部分が外側部分から取り出される際に、互いに沿って摺動する。内側部分は、特に、物品のための引出し様の担体であり、当該担体は、エンベロープ（envelope）から引き出す、又は、開いて取り出すことが可能である。この種の折り畳み式の箱は、特に以下の公報に記載されているように形成され得る：国際公開第２００６／０６１５６３号、米国特許第２９２９５４２号明細書、国際公開第２００７／０２９５２８号、国際公開第２００７／１４４０４３号、欧州特許第２１４３６６３号明細書、米国特許第３８８１５９９号明細書、欧州特許第１８３６１０８号明細書、米国特許第７６８１７２７号明細書、欧州特許第１６２６９１６号明細書、米国特許第７８６６４６６号明細書、国際公開第２０１１／０１４７２４３号。この点において、上に挙げた特許公報が参照され、その主題は、それによって本出願に組み込まれる。
【００３０】
さらなる態様によると、パッケージは、缶下側部分と、当該缶下側部分から取り外し可能な缶蓋とを有する缶であり、磁気要素は、缶下側部分の壁と、取り外すと缶下側部分の壁に沿って摺動する缶蓋の壁とに配置されている。缶蓋は、特に、缶下側部分から外され得る缶蓋であるか、又は、缶下側部分から捻って外され得る缶蓋であり得る。取り外し可能な缶蓋は、好ましくは、缶下側部分上にクランプ用のシートを有している。缶蓋は、捻って外すために、缶下側部分に、例えばネジ山又はバヨネットキャッチによって接続され得る。
【００３１】
本発明で使用するのに適した缶は、特に、欧州特許出願第１３１７２３４０号（欧州特許出願公開第２８１５９８９号明細書）、及び、欧州特許出願第１３１７２１９５号（欧州特許出願公開第２８１３４４０号明細書）に記載されている。この点において、上に挙げた特許公報が参照され、その主題は、それによって本出願に組み込まれる。
【００３２】
好ましい態様によると、パッケージは、ボール紙及び／又は段ボール紙及び／又はプラスチック及び／又は金属から成る。
【００３３】
好ましい態様によると、パッケージは、ボール紙から成る折り畳み式の箱である。加えて、折り畳み式の箱は、アルミニウムシート、プラスチックシート、又は、その他のシート材料による内張りを有し得る。さらに、折り畳み式の箱を、開封帯を有するセロファンシート又はプラスチックシートによって、外側で包み込むことが可能である。
【００３４】
本発明はさらに、請求項１６に係るパッケージの使用に関する。当該使用の有利な態様は、サブクレームに示される。
【００３５】
本発明に係る使用において、開閉式のクロージャーは、請求項１から１５のいずれか一項に記載の様々な選択可能な位置に適応しており、磁気要素によって、それぞれの設定位置に固定される。当該設定位置において、クロージャーは、取り扱いが容易になるように、様々な調整可能な位置に固定され得る。
【００３６】
さらなる態様によると、開閉式のクロージャーの開閉は、互いの面で摺動する壁内の磁気要素によって生成されるラッチング又はその他の音を利用して制御される。開閉動作の制御は、これによって改善される。
【００３７】
以下に、添付された実施例の図面を用いて、本発明をより詳細に説明する。図面には、以下が示されている。
【図面の簡単な説明】
【００３８】
【図１ａ】開放位置における、外側部分上に折り畳み可能なフラップと、外側部分から引き出すことが可能な内側部分とを有する折り畳み式の箱を、常に前側及び左側からの斜視図で示した図である。
【図１ｂ】閉鎖位置における、外側部分上に折り畳み可能なフラップと、外側部分から引き出すことが可能な内側部分とを有する折り畳み式の箱を、常に前側及び左側からの斜視図で示した図である。
【図２ａ】開放位置における、外側部分と、折り畳みを開いて外側部分から取り出し得る内側部分とを有する折り畳み式の箱を、前側及び左側からの斜視図で示した図である。
【図２ｂ】閉鎖位置における、外側部分と、折り畳みを開いて外側部分から取り出し得る内側部分とを有する折り畳み式の箱を、前側及び右側からの斜視図で示した図である。
【図３ａ】開放位置における、外側部分と、引出し可能な内側部分とを有する折り畳み式の箱を、前側及び左側からの斜視図で示した図である。
【図３ｂ】閉鎖位置における、外側部分と、引出し可能な内側部分とを有する折り畳み式の箱を、前側及び右側からの斜視図で示した図である。
【発明を実施するための形態】
【００３９】
以下の説明では、異なる実施例において指定された同じ部材には、同じ参照符号が付される。
【００４０】
「頂部」、「底部」という表現は、底壁で水平地面に置かれた折り畳み式の箱に関するものである。
【００４１】
図１の折り畳み式箱１は、ボール紙から成る角柱形の外側部分２を有しており、当該外側部分は、４つの第１の側壁３、４、５、６を含んでおり、第１の前側側壁及び第１の後側側壁３、４は、第１の左側側壁及び右側側壁５、６よりも幅が大きい。さらに、外側部分２は、第１の底壁７と、外側部分２の第１の開口部９を覆うために第１の後側側壁４の上端にヒンジで接続されたキャップの形状のクロージャー８とを有している。窓１０が、第１の前側側壁３に打ち抜かれている。角柱形の内側部分１１は、外側部分２に挿入されている。内側部分１１は、第２の前側側壁及び後側側壁１２、１３と、より幅の狭い第２の左側側壁及び右側側壁１４、１５を有している。底部では、内側部分１１は第２の底壁１６によって閉じられている。内側部分１１は、頂部側に第２の開口部１７を有している。第２の前側側壁１２は、穴形の打ち抜き１８を上端に有しており、それによって、内側部分１１内に配置された物品への到達が容易になる。
【００４２】
内側部分１１には、好ましくはシガレット、ジャケット、又は、その他の細長い製品が詰め込まれる。
【００４３】
利用者は、その親指を窓１０に嵌め込み、内側部分を外側部分２へ向かって上方に押し込む。これによって、キャップ８は持ち上がる。その後、シガレットを取り出すことが可能になる。
【００４４】
この種の折り畳み式箱は、特に欧州特許第２３２５０９３号明細書、米国特許第２９２９５４２号明細書及び国際公開第２００７／１４４０４３号に記載されている。
【００４５】
加えて、第１の後側側壁４には、内側に第１の磁気コーティング１９が設けられており、第２の後側側壁１３には、外側に第２の磁気コーティング２０が設けられている。第１のコーティング１９は、第１の磁気要素を含んでおり、第２のコーティング２０は、第２の磁気要素２２を含んでいる。磁気要素２１、２２はそれぞれ、陽極と陰極とを交互に有して、内側部分１１の外側部分２に対する相対運動の方向Ｄにおいて整列している。磁気要素２１、２２は、方向Ｄに対して横に延在する、真線又はストリップである。線状の磁気要素２１、２２はそれぞれ、多数の磁性粒子２３、２４を含んでおり、当該磁性粒子は、同じ極で、対向する壁４、１３に向かって方向付けられている。
【００４６】
コーティング１９、２０は、例えば、磁性粒子２３、２４を含む自己接着性染料の塗布によって形成される。磁気要素２１、２２を形成するための磁性粒子２３、２４の位置合わせは、好ましくは、コーティング１９、２０を塗布した後に行われる。
【００４７】
内側部分１１は、コーティング１９、２０の磁気要素２１、２２を通じて、閉鎖位置、及び、様々な開放位置に任意で固定され得る。閉鎖位置において、内側部分１１は、完全に押し込まれ、キャップ８が折り畳まれて閉じられている場合、外側部分２の内に固定されている。さらに、内側部分１１は、様々な開放位置において、外側部分２に固定されることが可能であり、当該位置では、多かれ少なかれ外側部分２から突き出ている。開閉すると、交互の極性を有する磁気要素２１、２２の列上を互いに摺動することによって、ラッチング音が生成される。
【００４８】
図２の折り畳み式箱１は、基本的に、角柱状の外側部分２を有しており、外側部分２は、大きな第１の前側側壁３及び第１の後側側壁４と、幅の狭い第１の左側側壁５とを有している。外側部分２はさらに、第１の底壁７及び第１の蓋壁２５を有している。右側には、外側部分２は第１の開口部９を有している。第１の開口部９に隣接して、外側部分２は、第１の前側側壁３の上端に面取り部２６を有しており、面取り部２６には、第１の蓋壁２５の右端が合流している。
【００４９】
引出し又は外箱様の内側部分１１が、外側部分２に挿入されている。内側部分１１は、幅が広い第２の後側側壁１３及び幅の狭い左側側壁及び右側側壁１４と、幅の狭い第２の底壁１６及び第２の蓋壁２７とを有している。内側部分１１は、前側に第２の開口部１７を有している。
【００５０】
内側部分１１は、下側の右端において、外側部分２に、例えばグルーラップ（glue lap）によって、枢動可能に接続されている。
【００５１】
内側部分１１には、好ましくはシガレット、ジャケット、又は、その他の細長い製品が充填される。
【００５２】
このようなパッケージは、特に、欧州特許第２４３６６３号明細書、米国特許第３１８１５９９号明細書、及び、欧州特許第１８６３１０８号明細書に記載されている。
【００５３】
加えて、第１の後側側壁４の内側は、第１の磁気コーティング１９を有しており、第２の後側側壁１３の外側は、第２の磁気コーティング２０を有している。コーティング１９、２０は、直線状又は略直線状の第１の磁気要素及び第２の磁気要素２１、２２を含んでいる。これらは、内側部分１１が外側部分２に対して枢動する方向Ｄに対して垂直に延在している。コーティング１９、２０は、例えば上述の実施例のコーティング１９、２０と同様に実施される。
【００５４】
コーティング１９、２０によって、内側部分１１は、閉鎖位置及び様々な開放位置に固定され得る。さらに、コーティング１９、２０は、パッケージが開閉される際にラッチングを引き起こす。
【００５５】
図３の折り畳み式箱１は、上述の箱とは、第１の前側側壁３が楔形の打ち抜き２８をその右端の中央領域に有している点で異なっている。さらに、引出し又は外箱様の内側部分１１は、方向Ｄにおける直線的な引出し運動において、外側部分２から引き出され得る。この種の折り畳み式箱１は、特に、米国特許第７８６６４６６号明細書及び米国特許出願公開第２０１１／０１４７２４３号明細書に記載されている。
【００５６】
加えて、第１の後側側壁４の内側には、第１の磁気コーティング１９が、第２の後側側壁１３の外側には第２の磁気コーティング２０が設けられている。コーティング１９、２０は、第１の直線的磁気要素及び第２の直線的磁気要素２１、２２を含んでおり、当該磁気要素は、内側部分１１の変位の方向Ｄに対して垂直に整列している。当該コーティングは、例えば図１の実施例のように実施される。
【００５７】
コーティング１９、２０によって、内側部分１１は閉鎖位置にあり、様々な開放位置に固定され得る。さらに、コーティング１９、２０は、内側部分１１が外側部分２から引き出される際、及び、内側部分１１が外側部分２に押し込まれる際に、ラッチングを引き起こす。
【００５８】
この折り畳み式箱１は、シガレット、ジャケット、又は、その他の細長い製品を内側部分に収納するのに適してもいる。
【００５９】
全ての実施例において、外側部分２はボール紙から形成されている。外側部分２は、好ましくは、打ち抜かれて、溝を付けられた１枚の白紙を折り畳み、接着することによって形成される。
【００６０】
さらに、全ての実施例において、内側部分１１は、ボール紙から形成されている。内側部分１１は、好ましくは、打ち抜かれて、溝を付けられた１枚の白紙を折り畳み、接着することによって形成される。
【符号の説明】
【００６１】
１  折り畳み式箱
２  外側部分
３  第１の前側側壁
４  第１の後側側壁
５  第１の左側側壁
６  第１の右側側壁
７  第１の底壁
８  クロージャー（キャップ）
９  第１の開口部
１０  窓
１１  内側部分
１２  第２の前側側壁
１３  第２の後側側壁
１４  第２の左側側壁
１５  第２の右側側壁
１６  第２の底壁
１７  第２の開口部
１８  穴形の打ち抜き
１９  第１の磁気コーティング
２０  第２の磁気コーティング
２１  第１の磁気要素
２２  第２の磁気要素
２３  磁性粒子
２４  磁性粒子
２５  第１の蓋壁
２６  面取り部
２７  第２の蓋壁
２８  楔形の打ち抜き
【図１ａ】
0006578276.tif 000002
【図１ｂ】
0006578276.tif 000003
【図２ａ−２ｂ】
0006578276.tif 000004
【図３ａ】
0006578276.tif 000005
【図３ｂ】
0006578276.tif 000006